(57)【要約】      （修正有）【課題】携帯端末収納ケースから携帯端末が抜け落ちることによる破損や紛失を防止しつつ、携帯端末を出し入れするときの取り扱い性に優れた携帯端末収納ケースを提供する。加えて、使用者が携帯端末以外に持ち歩く頻度の高いカード類も付帯させることで、使用者は、携行品の中から必要なものを探す煩雑な手間を省く。さらには、外観も良好な携帯端末収納ケースを提供する。【解決手段】携帯端末を出し入れ可能な開口部７を有する収納部材１と、前記収納部材を使用者の携行品に取り付け可能な第１の提げ部材３とを具備し、前記第１の提げ部材３の両端部は、前記開口部７における互いに対向する縁部であって、互いに逆側の端部近傍にそれぞれ取り付けて携帯端末収納ケース１００とする。【選択図】図１
0003176083.tif 000002
【実用新案登録請求の範囲】
【請求項１】
携帯端末収納ケースであって、
携帯端末を出し入れ可能な開口部を有する収納部材と、
前記収納部材を使用者の携行品に取り付け可能な第１の提げ部材と
を具備し、
前記第１の提げ部材の両端部は、前記開口部における互いに対向する縁部であって、互いに逆側の端部近傍にそれぞれ取り付けられることを特徴とする携帯端末収納ケース。
【請求項２】
前記収納部材には、コードを保持するコード保持部が設けられることを特徴とする請求項１に記載の携帯端末収納ケース。
【請求項３】
前記携帯端末収納ケースは、
第２の提げ部材と、
前記第２の提げ部材により前記携帯端末収納ケースに付帯されるカードケースを具備することを特徴とする請求項１または請求項２に記載の携帯端末収納ケース。
【請求項４】
前記第２の提げ部材は、伸縮可能であることを特徴とする請求項３に記載の携帯端末収納ケース。
【請求項５】
前記収納部材には、ポケットが形成されることを特徴とする請求項３または請求項４に記載の携帯端末収納ケース。
【請求項６】
前記カードケースには、携帯端末用のクリーナー部が形成されることを特徴とする請求項３から請求項５のいずれかに記載の携帯端末収納ケース。
【請求項７】
前記携帯端末収納ケースは、前記カードケースとともに使用者の携行品に取り付け可能な第３の提げ部材を具備することを特徴とする請求項３から請求項６のいずれかに記載の携帯端末収納ケース。
【考案の詳細な説明】
【技術分野】
【０００１】
本考案は、スマートフォンや携帯電話などの携帯端末を収納するケースに関する。
【背景技術】
【０００２】
今や、スマートフォンや携帯電話などの携帯端末は広く普及し、それらの収納ケースもまた様々なものが提案されている。例えば、携帯端末を収納する収納部と、収納部の開口部を覆うカバーとを備え、携帯端末を収納部に収納して持ち歩くことができるようにした携帯端末収納ケースが一般的に知られている（特許文献１）（特許文献２）。
【先行技術文献】
【特許文献】
【０００３】
【特許文献１】特開２００１−３４６６２０
【特許文献２】特開平１１−３０９０１０
【考案の概要】
【考案が解決しようとする課題】
【０００４】
上記携帯端末収納ケースでは、収納部の開口部にカバーがあるため、携帯端末が抜け落ちることによる破損や紛失を防止するためには大変有効である。しかしながら、携帯端末を使用するときに、わざわざカバーを開けなければ携帯端末を取り出すことができない。たとえば、電話が鳴るなど、急いで携帯端末を取り出したいときには大変不便である。
【０００５】
本考案は、このような問題に鑑みてなされたもので、携帯端末が抜け落ちることによる破損や紛失を防止できるとともに、携帯端末使用時の出し入れなどの取り扱い性に優れた携帯端末収納ケースを提供することを目的とするものである。
【課題を解決するための手段】
【０００６】
前述した目的を達成するために、本考案は、携帯端末を出し入れ可能な開口部を有する収納部材と、前記収納部材を使用者の携行品に取り付け可能な第１の提げ部材とを具備し、前記第１の提げ部材の両端部は、前記開口部における互いに対向する縁部であって、互いに逆側の端部近傍にそれぞれ取り付けられることを特徴とする携帯端末収納ケースである。
【０００７】
本考案によれば、使用者の携帯端末が、開口部から収納部材内へ収納されると開口部は略四角形状になる。このとき、第１の提げ部材の両端部は、収納部材の開口部における互いに対向する縁部であって、互いに逆側の端部近傍にそれぞれ取り付けられているので、略四角形状の開口部を対角に渡す状態となる。
【０００８】
したがって、携帯端末が収納部材から抜け落ちそうな場合であっても、第１の提げ部材がストッパーの役割を果たすこととなり、携帯端末の破損や紛失を防ぐことができる。また、収納部材から携帯端末を出し入れするときには、第１の提げ部材を左右に移動させるだけでよく、取り扱い性に優れる。
【０００９】
また、前記収納部材には、コードを保持するコード保持部が設けられてもよい。
【００１０】
このような構成とすることで、携帯端末にイヤホンなどの長いコードが接続されていても、コードを束ねて保持することができ、コードが絡み合って煩雑になることがない。
【００１１】
また、前記携帯端末収納ケースは、第２の提げ部材と、前記第２の提げ部材により前記携帯端末収納ケースに付帯されるカードケースを具備してもよい。
【００１２】
この場合、使用者は、外出時に必要なカード類を、携帯端末とともにまとめて持ち歩くことができる。したがって、携行品の中から必要なカードをわざわざ探すといった煩雑な手間を省くことができる。
【００１３】
また、前記第２の提げ部材は、伸縮可能であってもよい。
【００１４】
このような構成とすることで、第２の提げ部材により付帯されるカードケースの可動域を広くすることができ、取り扱い性に優れる。
【００１５】
さらに、前記収納部材には、ポケットが形成されてもよい。
【００１６】
このように構成することで、ポケットには、付帯されるカードケースなどを収納することができる。したがって、携帯端末収納ケース全体のデザイン感や統一感を持たせることや、保持性を高めることができる。
【００１７】
さらに、前記カードケースには、携帯端末用のクリーナー部が形成されてもよい。
【００１８】
このような構成とすることで、携帯端末用のクリーナーもまとめて持ち歩くことができる。したがって、携行品の中からクリーナーをわざわざ探すといった煩雑な手間を省くことができる。また、携帯端末を常に清潔に保つことができる。
【００１９】
さらに、前記携帯端末収納ケースは、前記カードケースとともに使用者の携行品に取り付け可能な第３の提げ部材を具備するようにしてもよい。
【００２０】
この場合、携帯端末収納ケースは第１の提げ部材に提げられており、カードケースは第２の提げ部材により提げられている。そして、第３の提げ部材により、第１の提げ部材および第２の提げ部材がまとめられて、使用者の携行品に取り付けられる。このように構成すれば、携帯端末やカードケースは使用者の目的に応じて、携行品の内外へ選択的に出し入れ自在である。また、携帯端末やカードケースが使用者の携行品に提げられている外観もすっきりとして良好である。
【考案の効果】
【００２１】
本考案によれば、携帯端末収納ケースから携帯端末が抜け落ちることによる破損や紛失を防止しつつ、携帯端末を出し入れするときの取り扱い性に優れた携帯端末収納ケースを提供することができる。
【図面の簡単な説明】
【００２２】
【図１】スマートフォン収納ケース１００の全体構成図。
【図２】スマートフォン収納ケース１００にスマートフォンを収納した状態を示す図。
【図３】スマートフォン収納ケース１００にスマートフォンを出し入れする時を示す図。
【図４】クリーナー兼カードケース１１を付帯させたスマートフォン収納ケース２００の全体構成図。
【図５】クリーナー兼カードケース１１をポケット１７に収納させたスマートフォン収納ケース２００の全体構成図。
【図６】クリーナー兼カードケース１１のクリーナー面を示す図。
【図７】クリーナー兼カードケース１１を付帯させたスマートフォン収納ケース２００を鞄に吊り提げて使用する例を示す図。
【図８】スマートフォン収納ケース３００の全体構成図。
【考案を実施するための形態】
【００２３】
以下、図面を参照にしながら本考案の実施形態について説明する。本実施形態として挙げられる携帯端末はスマートフォンとする。
【００２４】
図１は、スマートフォン収納ケース１００の全体構成図である。スマートフォン収納ケース１００は、主に、収納部材１と提げ部材３により構成される。
【００２５】
収納部材１は、スマートフォンを出し入れする開口部７を有している。また、後述する提げ部材３を収納部材１に取り付けるために、収納部材１の開口部７における互いに対向する縁部であって、互いに逆側の端部近傍に、提げ部材通し穴９ａおよび提げ部材通し穴９ｂが形成されている。
【００２６】
さらに、収納部材１には、コード保持部５が設けられている。これは、スマートフォンに接続されるイヤホンなどのコードを束ねて保持しておくためのものである。具体的には、収納部材１とコード保持部５の接触面に面ファスナー等を設けて、コード保持部５を収納部材１に固定する。配置位置としては、同じ面の幅方向端部に設けられる提げ部材通し穴（本実施の形態においては９ａ）の他端部に設けるのがよい。これにより、イヤホンを保持する作業が容易となる。その他、収納部材１にスマートフォンを収納したときに、コードに負担をかけることなく保持しやすい位置に設けるのが良い。
【００２７】
収納部材１の素材としては、皮、合皮、ナイロンなどが挙げられる。また、外側と内側で異なる素材や色、柄により形成するなど様々なデザインを施してアクセサリーとして楽しむこともできる。
【００２８】
また、コード保持部５の素材としては、収納部材１と同様に形成してもよい。あるいは、様々なコードであっても適合して保持可能なように、伸縮性を有するゴムやナイロンなどで形成してもよい。
【００２９】
一方、提げ部材３は、収納部材１に収納されるスマートフォンを、使用者が手持ちしたり、使用者の携行品に取り付けたりするために設けられている。提げ部材３は、その両端部を、上述した収納部材１の提げ部材通し穴９ａおよび提げ部材通し穴９ｂに係合され、収納部材１に取り付けられる。
【００３０】
また、提げ部材３はチェーン（鎖）部材により構成されている。提げ部材３の中央部分にはフック状の部材が設けられており、使用者の携行品に取り付け可能である。また、フック状部材がチェーンに係合する位置を変えれば、提げ部材３の長さ調節も可能である。チェーン以外の部材としては、紐や皮部材などが挙げられる。
【００３１】
また、図示を省略したが、収納部材１にＬＣＤパッドペンを差し込める箇所を形成しても良い。
【００３２】
続いて、スマートフォン収納ケース１００の使用例について説明する。図２は、スマートフォン収納ケース１００にスマートフォンを収納した状態であり、図３は、スマートフォン収納ケース１００にスマートフォンを出し入れする様子を示す図である。
【００３３】
図２に示すように、スマートフォンはスマートフォン収納ケース１００の収納部材１に収納される。そして、使用者は、スマートフォン収納ケース１００の提げ部材３を手持ちするか、鞄などの携行品に取り付ける。このとき、提げ部材３は、収納されたスマートフォンの上方で、スマートフォンが収納されて略四角形状となる開口部７を対角に渡すように提げられる。したがって、スマートフォンが収納部材１から抜け落ちそうな場合であっても、提げ部材３がストッパーの役割を果たすこととなり、スマートフォンの破損や紛失を防ぐことができる。
【００３４】
また、スマートフォンに接続されているイヤホンコードは、束ねられた状態でコード保持部５によって保持される。したがって、イヤホンコードが絡み合ったり、破損したりすることなく、また、外観もすっきりと良好である。
【００３５】
また、図３に示すように、スマートフォンをスマートフォン収納ケース１００から出し入れする場合には、提げ部材３を左右いずれかに倒すように移動させる。すると、開口部７が開放された状態となる。したがって、容易にスマートフォンを出し入れすることができ、取り扱い性に優れる。また、スマートフォンを収納部材１から取り出すときには、コード保持部５の収納部材１との固定を剥がして、イヤホンコードもスマートフォンとともに取り出される。
【００３６】
次に、スマートフォン収納ケースの第２の実施例について図４、図５および図６を参照しつつ説明する。本実施例は、スマートフォン収納ケース２００にクリーナー兼カードケース１１を付帯させて具備したものである。また、図７にはその使用例を示す。なお、以下の説明において、スマートフォン収納ケース１００と同様の機能を奏する構成については、図１〜図３と同一の符号を付し、重複する説明を省略する。
【００３７】
クリーナー兼カードケース１１は、片面にカードケース面１１ａ、裏面には図６のようにクリーナー面１１ｂが形成されている。カードケース面１１ａの素材としては、スマートフォン収納ケース２００と同様に、皮、合皮、ナイロンなどが挙げられる。また、カードを収納する内側と外側で異なる色、柄を用いるなど様々なデザインを施してアクセサリーとして楽しむこともできる。
【００３８】
また、クリーナー兼カードケース１１には、第２提げ部材１３が接続されている。第２提げ部材１３は、リール式の伸縮性を有する部材である。第２提げ部材１３に伸縮性を持たせることで、クリーナー兼カードケース１１の可動域を広くすることができ、取り扱い性に優れる。例えば、クリーナー兼カードケース１１に磁気式プリペイド乗車カードを収納していた場合にも、図７に示すように、クリーナー兼カードケース１１を鞄に取り付けた状態のまま、第２提げ部材１３を伸ばして、磁気センサに近づけることができる。なお、伸縮性を有する素材としては、リール式部材に限るものではなく、ゴム製であっても良い。
【００３９】
さらに、スマートフォン収納ケース２００の収納部材１には、ポケット１７が形成されている。これは、クリーナー兼カードケース１１を収納するためである。図５に、クリーナー兼カードケース１１をポケット１７に収納した図を示す。このように構成することにより、スマートフォン収納ケース２００および付帯されるクリーナー兼カードケース１１全体にデザイン感や統一感を持たせることができる。さらに、クリーナー兼カードケース１１の保持性、スマートフォン収納ケース２００の保持性を高めることができる。
【００４０】
なお、袋状のポケットに限らず、例えば、幅広のベルト部材によりクリーナー兼カードケース１１を保持するようにしてもよい。ポケット１７には、必ずしもクリーナー兼カードケース１１を収納するだけでなく、当然ながら他のものを入れるようにしてよい。ポケット１７とコード保持部５は、収納部材１の同じ面に形成されなくても、互いに異なる面にそれぞれ設けられるようにしてもよい。
【００４１】
また、本実施例には、スマートフォン収納ケース２００とクリーナー兼カードケース１１をまとめて提げるための第３提げ部材１５が具備されている。第３提げ部材１５を設けることによって、図６の矢印に示すように、スマートフォン収納ケース２００やクリーナー兼カードケース１１は使用者の目的に応じて、鞄の内外へ選択的に出し入れ自在である。或いは、スマートフォン収納ケース２００とクリーナー兼カードケース１１のうち片方を内側に入れ、他方を外側に出しておくことも可能である。さらには、スマートフォン収納ケース２００やクリーナー兼カードケース１１が鞄に提げられている外観もすっきりとして良好である。
【００４２】
なお、第３提げ部材１５は、提げ部材３と第２提げ部材１３をともに提げるために強度を持たせほうが良い。そこで、本実施の形態としては革製とした。勿論、チェーンなどでも代用可能である。
【００４３】
また、図示を省略するが、スマートフォン収納ケース２００の提げ部材３にクリーナー兼カードケース１１の第２提げ部材１３を直接取り付けても良い。この場合、提げ部材３の強度を第２提げ部材１３およびクリーナー兼カードケース１１を保持するのに耐えうるものにする必要がある。例えば、前述した第３提げ部材１５のように革製にしても良い。
【００４４】
最後に、図８を参照しながら、第３の実施の形態について説明する。なお、以下の説明において、スマートフォン収納ケース１００およびスマートフォン収納ケース２００と同様の機能を奏する構成については、図１〜図７と同一の符号を付し、重複する説明を省略する。
【００４５】
本実施例では、クリーナー兼カードケース１１の第２提げ部材１９が収納部材１の提げ部材通し穴９ａに直接繋留されている。また、スマートフォン収納ケース３００とこれに付帯されるクリーナー兼カードケース１１をまとめて保持するのは、ループ状の提げ部材ではなく、引き出し部材２１である。
【００４６】
普段、鞄などの携行品を持ち歩かない人はスマートフォン収納ケースを衣類のポケットに収納する傾向にある。このような場合のために、提げ部材の部品点数を減らすことで衣服のポケットへの収まりを良くする。また、引き出し部材２１を設けることで、使用者は、引き出し部材２１を引っ張るだけで、容易に衣類のポケットからクリーナー兼カードケース１１を付帯したスマートフォン収納ケース３００を引き出すことができる。
【００４７】
また、例えば、クリーナー兼カードケース１１に磁気式カードを収納していた場合にも、使用者は、ポケット１７からクリーナー兼カードケース１１を取り出すことなく、スマートフォン収納ケース３００を磁気センサに近づければよいので大変便利である。
【００４８】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００４９】
１………収納部材
３………提げ部材
５………コード保持部
７………開口部
９ａ、９ｂ………提げ部材通し穴
１１………クリーナー兼カードケース
１１ａ………カードケース面
１１ｂ………クリーナー面
１３、１９………第２提げ部材
１５………第３提げ部材
１７………ポケット
２１………引き出し部材
１００、２００、３００………スマートフォン収納ケース
【図１】
0003176083.tif 000003
【図２】
0003176083.tif 000004
【図３】
0003176083.tif 000005
【図４】
0003176083.tif 000006
【図５】
0003176083.tif 000007
【図６】
0003176083.tif 000008
【図７】
0003176083.tif 000009
【図８】
0003176083.tif 000010